(57)【要約】【課題】  従来、建設現場で撮影された建設の状況を写した画像データが改ざんされていても、それを検知することが困難であり、その結果改ざんの有無を検証することが非常に困難であった。【解決手段】  撮影装置である携帯端末１０で撮影された画像データに、画像データの撮影に関する撮影情報（時間、場所など）を所定の処理を施して画像データと関連付けて登録する。所定の処理としては、画像データに、撮影情報を電子的な透かし（デジタル透かし）として挿入することが含まれる。また、撮影情報を暗号化する処理も含まれる。【選択図】  図２
2005197901.tif 000002
【特許請求の範囲】
【請求項１】
撮影機能を有する画像撮影装置と、前記画像撮影装置で撮影された画像を記憶する管理サーバを用いた画像データ管理方法において、
前記画像撮影装置が、前記管理サーバから送信される情報に基づいて、当該画像撮影装置の撮影対象を識別する撮影対象識別情報を特定するステップと、
前記画像撮影装置が、前記撮影対象を撮影して画像データを生成して、前記画像データおよび前記撮影対象に対する撮影に関する撮影情報を用いて、所定の画像処理を実行するステップと、
前記画像撮影装置が、前記画像処理が施された前記画像データ、前記撮影情報および前記撮影対象識別情報を、前記管理サーバに送信するステップと、
前記管理サーバが、前記撮影対象識別情報毎に、送信された前記画像データに前記撮影情報が挿入された画像データを登録するステップとを有することを特徴とする画像データ管理方法。
【請求項２】
請求項１に記載の画像データ管理方法において、
前記画像撮影装置は、前記撮影情報として、当該撮影の撮影者を特定可能な情報を含む撮影情報を挿入することを特徴とする画像データ管理方法。
【請求項３】
請求項２に記載の画像データ管理方法において、
前記管理サーバは、画像撮影装置を識別する撮影装置識別情報ごとに、当該画像撮影装置で撮影が可能な撮影者を識別する撮影者識別情報を、撮影者データベースに記憶しておき、
前記画像撮影装置は、前記特定可能な情報である当該画像撮影装置の撮影装置識別情報を含む撮影情報を挿入し、
前記管理サーバは、登録された前記画像データの撮影者を特定する要求を受け付けた場合、前記撮影者データベースから前記画像データに挿入された撮影装置識別情報に対応する撮影者識別情報を検索することを特徴とする画像データ管理方法。
【請求項４】
請求項１乃至３のいずれかに記載の画像データ管理方法において、
前記管理サーバは、登録された前記画像データに含まれる撮影情報から所定のアルゴリズムを用いて、情報を生成して、生成された前記情報と登録された前記画像データを対応付けて登録することを特徴とする画像データ管理方法。
【請求項５】
請求項４に記載の画像データ管理方法において、
前記管理サーバは、前記所定のアルゴリズムとして、ハッシュ関数を用いて前記撮影情報のハッシュ値を算出することを特徴とする画像データ管理方法。
【請求項６】
請求項１に記載の画像データ管理方法において、
前記特定するステップは、前記管理サーバから前記画像撮影装置の撮影対象候補の提示を受け付け、提示された前記撮影対象候補から選択された撮影対象を識別する撮影対象識別情報を特定することを特徴とする画像データ管理方法。
【請求項７】
請求項６に記載の画像データ管理方法において、
前記画像処理を実行するステップは、前記所定の画像処理として、生成された前記画像データに、前記撮影情報を挿入し、
前記送信するステップは、前記撮影情報が挿入された画像データおよび前記特定された撮影対象識別情報を送信することを特徴とする画像データ管理方法。
【請求項８】
請求項１に記載の画像データ管理方法において、
前記所定の画像処理を実行するステップは、前記生成された画像データおよび前記撮影情報に対して電子署名を施し、
前記撮影対象識別情報を受信するステップは、前記管理サーバが前記画像撮影装置から送信される前記電子署名が施された画像データ及び撮影情報を受信した場合、当該管理サーバから前記撮影対象識別情報を受信することを特徴とする画像データ管理方法。  
【請求項９】
請求項１乃至８のいずれかに記載の画像データ管理方法において、
前記撮影情報は、撮影した位置を示す位置情報、撮影した時刻を示す時刻情報、撮影した際に当該画像撮影装置の向いていた方向を示す方向情報、当該画像撮影装置を識別する機体識別情報および前記撮影対象識別情報のうち少なくとも１つを含むことを特徴とする画像データ管理方法。
【請求項１０】
請求項１乃至９のいずれかに記載の画像データ管理方法において、
さらに、登録された前記画像データで示される画像および挿入された前記撮影情報が含まれる所定の文書を生成するステップを有することを特徴とする画像データ管理方法。
【発明の詳細な説明】
【技術分野】
【０００１】
本発明は、画像データの管理、特に、撮影された画像データの証拠性を保全するための技術に関する。この中でも特に、デジタルカメラと通信機能を搭載した携帯端末を用いた画像管理システムに関し、特に撮影したデジタル画像の証拠性を保証する画像管理システムに関する。
【背景技術】
【０００２】
近年、デジタルカメラの性能向上およびデジタルカメラを搭載した携帯端末の登場に伴って、デジタルカメラの利用者が増加している。従来のアナログカメラと比較した場合、撮影できる枚数が多い、撮影した画像をすぐに確認することができる、不必要な画像は簡単に削除することができる、などの利点から、デジタルカメラが今後ますます普及すると考えられる。現在では、証拠として利用可能なデジタル画像が撮影できる有効画素数１００万画素を超えた上記携帯端末も登場しており、特開２００３−１３４２５８号公報（特許文献１）では、シャッタボタンを押下することで、撮影した時刻や場所、音声などの情報を画像データに添付して自動的に保存サーバに送信する機能を持つ携帯電話および、画像情報サービスシステムを提案している。
【０００３】
また、「電子署名法（電子署名及び認証業務に関する法律）」により、デジタル画像等を含んだ電子文書による申請が、加速すると期待されている。例えば、国土交通省直轄工事における工事写真等（工事、測量、調査、地質、広報、設計）の原本を、電子媒体で提出することが可能になった。さらに、インターネット上で物件紹介を行う不動産会社や事故現場の証拠写真等を扱う保険会社など、さまざまな分野で電子媒体を扱う場面が増え、従来のアナログ写真を添付した紙媒体から、デジタル画像を含んだ電子媒体による申請およびデータ管理へ移行すると予測される。
【０００４】
【特許文献１】特開２００３−１３４２５８号公報
【発明の開示】
【発明が解決しようとする課題】
【０００５】
しかし、デジタル化への移行は、画像の編集が容易になるため、デジタル画像を含んだ申請書や報告書の提出に関しては、デジタル画像が第三者によって改ざんされていないことを証明する必要がある。また、これはアナログ写真にも言えるが、被写体全体の一部を撮影した画像、例えば、建築現場などを撮影した画像などは、建築物の一部を撮影したものであるため、画像を見ただけでは、撮影した時間や場所、方向などを判断する情報が不足しており、画像そのものが本当に撮影者が証言している現場を撮影したものであるのかという証拠がない。
【０００６】
しかし、その点において、上記特許文献１に開示された画像情報サービスシステムでは、携帯端末で撮影した画像を管理サーバへ自動的に送信することによって、撮影場所や時刻等の証拠となる情報の付いたデジタル画像を管理することを可能にしている。しかし、画像が第３者の手に渡ったときに、第３者がその画像の真偽性を確認する手段がない。
【０００７】
そこで、本発明では、上記問題を鑑み、デジタル画像を含む画像データの証拠性を保障し、第３者が報告書を手にしたときに報告書にある画像の真偽性を確認する技術を提供することを目的とする。
【課題を解決するための手段】
【０００８】
上記の課題を解決するために、本発明では、撮影装置で撮影された画像データに、画像データの撮影に関する撮影情報を所定の処理を施して画像データと関連付けて登録する。所定の処理としては、画像データに、撮影情報を電子的な透かし（デジタル透かし）として挿入することが含まれる。また、撮影情報を暗号化する処理も含まれる。
【０００９】
また、本発明には、サーバ装置からネットワークを介して送信される情報に基づいて、撮影装置が撮影対象を識別する撮影対象識別情報を特定して、撮影情報と画像データを関連付けることも含まれる。さらに、撮影装置が画像データおよび撮影情報に電子署名を施して、サーバ装置に送信し、電子署名が真正なものであると判断された場合、サーバ装置が撮影対象識別情報を特定するための情報を送信することも含まれる。
【発明の効果】
【００１０】
本発明によれば、画像データの証拠性をより厳密に確保することが可能になる。
【発明を実施するための最良の形態】
【００１１】
以下、図面を用いて、本発明の一実施形態について説明する。
図1に、本発明のサービス概要図を示す。この図１を用いて、本実施形態の処理概要を簡単に説明する。本実施形態は、特に、建築現場での工事（建築）の監視に本発明を適用したものであるが、デジタル画像を取り扱うサービス全般に対して適用可能である。建築現場で、物件担当者が携帯端末１０を用いて、被写体を撮影して画像データを生成する。この画像データに、撮影時の位置情報、時刻、機体ＩＤのうち少なくと１つを含む撮影情報を電子透かしにより挿入する。この透かし入り画像データを、画像データの管理を請け負う管理請負業者の管理サーバ１２に送信し、管理サーバ１２では画像データを撮影情報と共に保存する。そして、管理請負業者は、建築会社からの依頼に基づいて、保存されたデータを用いて報告書を作成する。この報告書は、電子的な報告書、紙での報告書のいずれも含まれる。そして、報告書は施主に回覧される。また、施主は、報告書を受けると、管理サーバ１２に格納された内容を閲覧できるようになる。また、報告書の真正性を確認するため、検証センタ１６にアクセス可能になる。
【００１２】
次に、本実施形態の詳細について説明する。まず、図２を用いて、本発明のシステム構成について、簡単に説明する。本実施形態は、互いにネットワーク等を介して接続された撮影機能を有する携帯端末１０、画像データおよび撮影情報を保存する管理サーバ１２、保存された画像データ等の検証を可能とする検出センタ装置１６およびＰＣ１４から構成される。ここで、携帯端末１０は、無線回線で管理サーバ１２と接続されているが、有線回線で接続されていてもよい。また、携帯端末１０には、いわゆるカメラ付き携帯電話が含まれるが、これ以外でもデジタル画像を撮影可能な撮影機能を有し、プログラムに従って所定の処理を実行する情報処理装置であればよい。また、携帯端末１０は、画像撮影に併せて、所定の処理が実行されるものであれば、カメラと情報処理装置が物理的に分離されているものも含まれる。つまり、カメラと情報処理装置をコード等で接続してもよいし、カメラで撮影した画像データを、記憶媒体を介して情報処理装置に渡せるようにしてもよい。
【００１３】
次に、本実施形態の処理内容を、フローチャートを用いて説明する。まず、図５〜図８を用いて、画像データを登録するための事前情報の登録について説明する。まず、図５に示すように、物件情報を登録する。
【００１４】
まず、ステップ３０１において、利用者が利用するＰＣ１４を介して物件情報を管理サーバ１２に登録する。この登録は、工事の開始の際などに行われる。ＰＣ１４に工事のスケジュールデータが格納されている場合、工事日時に達した場合、自動的に登録処理を行ってもよい。また、そのアラームを発してもよい。この物件情報は、図２４に示す、工事現場の名前である工事名、工事現場の住所を示す住所、撮影対象の工事箇所を示す工事箇所、撮影装置つまり撮影する機体を識別する機体ＩＤ１〜ｎを含む。本実施例では、これらの情報を含むが、撮影対象と撮影する機体を対応付けていればよい。
【００１５】
次に、ステップ３０２において、管理サーバ１２は、ステップ３０１で登録された物件情報に対して、撮影対象を識別する物件ＩＤを付与して、物件ＩＤＤＢに登録する。
そして、ステップ３０３において、ＰＣ１４に物件ＩＤを通知する。
【００１６】
最後に、ステップ３０４において、ＰＣ１４は、通知された物件ＩＤを受取り、記憶媒体に記憶する。
【００１７】
次に、図６を用いて、撮影の担当者を登録する撮影者情報登録処理を説明する。
まず、ステップ４０１において、ＰＣ１４は、担当者からの入力に応じて、管理サーバ1２に対して担当者情報を登録する。図２５に示すように、担当者情報には、担当者の名前である担当者名、担当者が所属する組織名である所属、この組織でのユーザＩＤ、パスワードが含まれる。ここでは、担当者情報は、担当者が識別できるような情報であればよい。
【００１８】
次に、ステップ４０２において、管理サーバ１２は、ステップ４０１で送信された担当者情報を識別する担当者ＩＤを発行し、担当者情報ＤＢに送信された担当者情報と登録する。また、この時点で、管理サーバ１２が、担当者が利用可能な携帯端末１（撮影装置）を識別する機体ＩＤを対応付けて物件ＤＢに登録してもよい。そして、ステップ４０３において、担当者ＩＤをＰＣ１４に通知する。
【００１９】
最後に、ステップ４０４において、ＰＣ１４は、ステップ４０３の通知を受取る。ここで、ＰＣ１４は、通知された担当者ＩＤをディスプレイに表示するなどの出力でもよい。。また、担当者の入力に従って、記憶媒体に格納してもよい。
【００２０】
次に、図７を用いて、撮影装置である携帯端末１０の情報である機体情報の登録処理の第１の例を説明する。なお、図６のステップ４０２において、機体ＩＤを登録した場合、図７の処理はなくともよい。
【００２１】
まず、ステップ５０１において、ＰＣ１４は、担当者からの担当者ＩＤの入力を受けて、担当者情報を担当者ＤＢから呼び出す。これ応じて、ステップ５０２において、ステップ５０１で入力された担当者ＩＤに対応する担当者情報を担当者ＤＢから検索し、ＰＣ１４に送信する。
【００２２】
次に、ステップ５０３において、ＰＣ１４は担当者からの入力に応じて、撮影者登録要求を実行する。つまり、担当者が撮影可能である撮影者としてデータベースに登録する作業を要求する。より具体的には、担当者が使用可能な携帯端末を識別する機体ＩＤの付与を要求する。
【００２３】
次に、ステップ５０４において、管理サーバ１２が、使用可能な携帯端末の機体ＩＤのリストを作成し、ステップ５０５において、ＰＣ１４に送信する。機体ＩＤのリストは、図２６に示す機体ＤＢから任意に抽出する。ここで、図示しないが機体ＤＢに利用可能か否かをしめす項目を設けて、この項目の内容が利用可能な機体ＩＤを抽出してもよい。ここで、機体ＩＤとして、携帯電話の機体番号を用いることが含まれる。  次に、ステップ５０６において、担当者の入力に応じて送信された機体ＩＤのリストから使用する携帯端末の機体ＩＤを選択する。そして、ステップ５０７において、ＰＣ１４は、選択された機体ＩＤおよび当該担当者の担当者ＩＤを、管理サーバ１２に送信する。
【００２４】
次に、ステップ５０８において、管理サーバ１２は、図２５に示すように、担当者ＤＢの送信された担当者ＩＤに対応する欄に送信された機体ＩＤを登録する。そして、ステップ５０９において、管理サーバ１２は、ＰＣ１４に登録処理を実行したことを通知する。そして、ステップ５１０において、ＰＣ１４は登録通知を受信する。
【００２５】
次に、図８を用いて、撮影装置である携帯端末１０の情報である機体情報の登録処理の第２の例を説明する。なお、図６のステップ４０２において、機体ＩＤを登録した場合、図８の処理はなくともよい。
【００２６】
まず、携帯端末１０に、自身の担当者ＩＤを入力する。ステップ５１１において、携帯端末１０は、この入力を受けて、入力された担当者ＩＤと携帯端末１０の機体ＩＤを、管理サーバ１２に送信する。ここで、携帯端末１０は、携帯電話における自身を識別する識別情報など当該携帯端末１０に記憶された機体ＩＤを送信する。そして、ステップ５１２において、管理サーバ１２は、図２５に示すように、担当者ＤＢの送信された担当者ＩＤに対応する欄に送信された機体ＩＤを登録する。そして、ステップ５１３において、管理サーバ１２は、携帯端末１０に登録処理を実行したことを通知する。そして、ステップ５１４において、携帯端末１０は登録通知を受信する。
【００２７】
次に、図９〜図１１を用いて、撮影処理の前処理を説明する。本実施例においては、撮影データに物件情報等を対応付ける（例えば、透かし込む）ので、これらの情報を取得する必要がある。そこで、図９を用いて、登録された物件情報の取得処理の第１の例を説明する。
【００２８】
まず、ステップ６０１において、携帯端末１０は、携帯端末１０の位置情報もしくは撮影対象の住所および携帯端末１０の機体ＩＤを管理サーバ１２に送信する。ここで、位置情報は、携帯端末１０が有する位置情報取得手段１０４で取得する。この位置情報取得手段１０４の態様の１つとして、ＧＰＳ機能が含まれる。また、住所は、この位置情報取得手段１０４で取得した位置情報から変換してもよいし、担当者が入力してもよい。
【００２９】
次に、ステップ６０２において、管理サーバ１２は、送信された機体ＩＤについての認証を実行する。例えば、担当者ＤＢもしくは機体ＤＢに送信された機体ＩＤが登録されているか否かで判定する。
【００３０】
ここで、機体ＩＤによる認証がされた場合、ステップ６０３において、送信された位置情報もしくは住所に対応する物件情報を物件ＤＢから検索する。ここで、図２４には、住所しか開示していないが位置情報（緯度経度等）を保持していてもよい。また、検索されるものは、物件ＤＢの住所と送信された住所が一致していないものを検索結果として出力してもよい。例えば、一定範囲内にあるものを検索結果としてもよい。そして、ステップ６０４において、検索された物件情報のリストを、携帯端末１０に送信する。
【００３１】
次に、ステップ６０５において、携帯端末１０は、担当者の入力に従って送信された物件情報から撮影対象の物件情報を選択する。選択に応じてステップ６０６において、撮影機能を起動する。つまり、図１９に示す画面１４０１の画面を表示する。撮影機能としては、まずガイダンス機能を実行するか否かの問合せを出力する。この結果、実行する場合は、ステップ８０１（図１１）に進み、実行しない場合はステップ９０１(図１２)に進む。つまり、図１９に示す携帯端末１０の画面１４０２の「検索して撮影」を押下するとステップ８０１に、「すぐに撮影」を押下するとステップ９０１に進む。
【００３２】
次に、図１０を用いて、登録された物件情報の取得処理の第２の例を説明する。
ここでは、まずステップ７０１において、携帯端末１０が、機体ＩＤを含む物件情報（リスト）を送信する。
【００３３】
次に、ステップ７０２においては、ステップ６０２と同様に認証処理を実行する。そして、ステップ７０３において、管理サーバ１２は、物件ＤＢから送信された機体ＩＤに対応する物件情報を検索し、ステップ７０４において携帯端末１０に検索された物件情報のリストを送信する。
【００３４】
ステップ７０５以降は、図９のステップ６０５以降と同様の処理を実行する。
【００３５】
次に、図１１を用いてガイダンス機能について、説明する。図１９の画面１４０２で「検索して撮影」が押下された場合、画面が１４０３に遷移する。ここで、「現在地で検索」が押下されると、携帯端末１０は位置情報取得手段１０４で現在位置を取得し、通信手段１０２を用いて、管理サーバ１２に送信する。管理サーバ１２は、携帯端末１０からガイダンス機能を利用する通知を受信するとステップ８０２に進む。ステップ８０２において、撮影個所に関する情報を、携帯端末１０に送信する。つまり、本実施例では、物件ＤＢから対応する情報を提示する。ここで、撮影個所に関する情報としては、図２８に示すガイダンスＤＢに格納された画像データ（画像１、２，３）やそのサムネイル画像が含まれる。また、ガイダンスＤＢに格納された撮影個所を説明するテキスト情報(例えば、表示１〜３)でもよい。また、画像情報およびテキスト情報の両方であってもよい。本実施例では、画面１４０４に示す情報を提示する。
【００３６】
また、図１９の画面１４０３で「住所で検索」が押下された場合、画面に１４０５に示すような住所入力を受け付ける画面に遷移し、住所の入力を受け付ける。そして、物件ＤＢで対応する情報を検索し、画面１４０６に示すように情報を提示する。またさらに、画面１４０３で「登録番号で検索」が押下された場合、「住所で検索」と同様に画面１４０７、１４０８と画面が遷移する。
【００３７】
そして、ステップ８０３において、携帯端末１０は提示されたこれらの撮影個所に関する情報を受信し、ステップ９０１に進む。
【００３８】
次に、図１２〜図１４を用いて、画像の撮影および撮影された画像の登録処理について説明する。まず、図１２を用いて、登録処理の第１の例を説明する。
【００３９】
まず、ステップ９０１で撮影を開始する。つまり、図２１の携帯端末１０の画面１４０９の「撮影」ボタンを押下することにより、撮影手段１０１で画像を撮影する。次に、ステップ９０２において、携帯端末１０は、撮影された画像データに撮影に関する撮影情報を挿入する。本実施例では、まず、位置情報取得手段を用いて撮影位置を示す位置情報を、時刻情報取得手段１０４を用いて撮影時刻を示す時刻情報を、方位情報取得手段１０７を用いて撮影方位を示す方位情報を取得する。なお、方位情報取得手段は、いわゆるジャイロなど携帯端末１０の向いている方向を検知可能なものである。次に、取得した位置情報、時刻情報、方位情報、当該携帯端末１０の機体ＩＤおよび物件ＩＤを、電子透かしを用いて画像データに挿入する。ここで、機体ＩＤは、当該携帯端末１０が保持しているものを用いる。また、物件ＩＤは、ステップ６０５もしくは７０５で物件リストから選択された物件ＩＤである。
【００４０】
なお、本実施例では、撮影情報として、位置情報、時刻情報、方位情報、当該携帯端末１０の機体ＩＤおよび物件ＩＤを用いたが、撮影情報は、撮影に関する情報であればよく、これらに限定されず、担当者ＩＤなども含まれる。また、これらのうち、少なくとも１つであってもよい。
【００４１】
さらに、本実施例では、電子透かしの技術を用いて、撮影情報を挿入するが、これ以外の方法をもちいてもよい。例えば、撮影情報に対して暗号化を施し、画像データと対応づけてもよい。また、撮影情報をハッシュ化してもよい。画像データまたは撮影情報が容易に改ざんできないような形で、もしくは画像データまたは撮影情報が改ざんされた場合、検知可能な形で画像データと撮影情報を対応付ける方法であればよい。
【００４２】
次に、携帯端末１０は、ステップ９０３において撮影情報が挿入された画像データを記憶し、ステップ９０４において管理サーバ１２に送信する。なお、ステップ９０３は、省略してもよい。ここで、ステップ９０４は、図２１の携帯端末１０の登録画面１４１０を表示し、ここで「すぐに登録」が押下（選択）された場合、データを送信する。そして、画面は、１４１１に遷移する。なお、画面１４１１で「続けて撮影」が押下された場合、撮影後(画面１４０９)、画面１４１０に戻る。また、画面１４１０で「あとで登録」が押下された場合、図２２の画面１４１２に遷移する。ここで、「続けて撮影」が押下されれば、画面１４１１と同様に処理（画面遷移）する。また、「登録しない」が押下された場合、画面１４１３に遷移する。さらに、図１９の画面１４０１で「画像登録」が押下された場合、図２１の「あとで登録」とされた画像データの登録を、図２３に示す携帯端末１０の画面遷移に従って行う。「画像登録」が押下された場合、図２３の画像一覧画面１４１４を表示する。ここで、表示されたいずれかの画像が選択された場合、画面１４１５に遷移し、「はい」が押下された場合、管理サーバ１２に対応する画像データを送信する。そして、画面１４１６に遷移する。その後、画面１４１６で「続けて登録」が押下された場合、画面１４１４に戻る。なお、画面１４１４で「すべて登録」が押下された場合、これまで撮影され、未送信の画像データを送信する。
【００４３】
次に、管理サーバ１２が、ステップ９０５において送信された画像データから物件ＩＤを抽出する。ここで、携帯端末１０は、物件ＩＤを挿入するのでなく画像データに対応付けて送信してもよい。
【００４４】
最後に、ステップ９０６において、管理サーバ１２は抽出された物件ＩＤに基づいて、物件ＩＤ毎に画像データを登録する。その結果、図２７に示す画像ＤＢが作成される。
【００４５】
次に、図１３を用いて、登録処理の第２の例を説明する。第２の例は、電子透かし等の処理を管理サーバ１２側で実行するものである。まず、携帯端末１０は、ステップ９０７においてステップ９０１と同様の処理を実行する。
【００４６】
次に、ステップ９０８において、携帯端末１０は、撮影された画像データに撮影に関する撮影情報および画像データに対して電子署名を施す。本実施例では、ステップ９０２と同様に、位置情報、時刻情報および方位情報を取得する。
【００４７】
次に、取得した位置情報、時刻情報、方位情報、当該携帯端末１０の機体ＩＤおよび物件ＩＤと撮影された画像データを対応付けて電子署名を施す。ここで、機体ＩＤは、当該携帯端末１０が保持しているものを用いる。また、物件ＩＤは、ステップ６０５もしくは７０５で物件リストから選択された物件ＩＤである。
【００４８】
次に、携帯端末１０は、ステップ９０９において電子署名が施された画像データおよび撮影情報を保存し、ステップ９１０において管理サーバ１２に送信する。
【００４９】
次に、管理サーバ１２は、ステップ９１１において、ステップ９０８で施された電子署名を正規なものか、つまり、予め定められたものかの確認処理を実行する。
【００５０】
そして、ステップ９１２において、管理サーバ１２は、電子署名が施された位置情報、時刻情報、方位情報、機体ＩＤおよび物件ＩＤを、電子透かしを用いて画像データに挿入する。ここでは、ステップ９０２と同様の処理を実行する。最後に、ステップ９１３と同様に物件ＩＤ毎に画像データを登録する。
【００５１】
次に、図１４を用いて、登録処理の第３の例を説明する。この第３の例では、物件ＩＤを管理サーバ１２側で与える処理である。まず、携帯端末１０は、ステップ９１４においてステップ９０１や９０７と同様の処理を実行する。
【００５２】
次に、ステップ９１５において、携帯端末１０は、物件ＩＤを除いたデータでステップ９０８と同様の電子署名処理を実行する。そして、ステップ９１６において電子署名が施されたデータを格納し、ステップ９１７で管理サーバにこのデータを送信する。なお、ステップ９１６は、ステップ９０３や９０９と同様に省略可能である。
【００５３】
次に、管理サーバ１２は、ステップ９１８でステップ９１１と同様に電子署名の確認を行う。そして、ステップ９１９において、対応する物件ＩＤを発行する。物件ＩＤは、携帯端末１０から送信された撮影情報を用いて特定する。例えば、位置情報と物件ＤＢの住所を比較して特定する。また、送信された機体ＩＤをこの比較に用いてもよい。
【００５４】
そして、ステップ９２０において、ステップ９１１と同様に撮影情報を、電子透かしを用いて画像データに挿入し、ステップ９２１において物件ＩＤごとに登録する。
【００５５】
次に、図１５を用いて、検証センタ１６への画像データの登録処理を説明する。なお、本実施例では、検証センタ１６と管理サーバ１２を別装置としているが同一の装置でも構わない。
【００５６】
ステップ１００１において、管理サーバ１２は、ステップ９０６、９１３、９２１で登録された画像データに画像データを識別する画像識別情報を対応付ける。画像識別情報としては、物件ＩＤ＋登録時刻、物件ＩＤ＋撮影時刻などがある。また、撮影情報を画像識別情報としてもよいし、登録順の番号、ランダムな番号（情報）としてもよい。そして、管理サーバ１２は、画像データを検証センタ１６に送信する。
【００５７】
最後に、検証センタ１６は、送信された画像データと画像データに対して所定の処理を施し、一意に定まる値を登録する。例えば、ハッシュ化を画像データに対して施す。なお、管理サーバ１２から画像データと画像識別情報を受信し、これらを管理サーバ１２と二重に登録してもよい。
【００５８】
次に、図１６〜１８を用いて、登録された画像データの使用、利用に関する処理を説明する。まず、図１６を用いて、画像の編集処理について説明する。画像編集とは、例えば画像を含む文書（報告書）を作成することが含まれる。
【００５９】
まず、編集を行う編集者が使用するものであって、ネットワークを介して検証センタ１６や管理サーバ１２と接続された編集者ＰＣが、ステップ１１０１において、編集者の入力に応じてユーザＩＤおよびパスワードを含む画像編集要求を管理サーバ１２に送信する。
【００６０】
そして、管理サーバ１２では、送信されたユーザＩＤとパスワードによる認証処理を行う。つまり、図２５の担当者ＤＢに送信されたユーザＩＤとパスワードが対応付けられて記憶されているか確認する。この結果、認証された場合、ステップ１１０３において、管理サーバ１２は編集者ＰＣに図２７に示す画像ＤＢに登録された登録画像の一覧を提示する。登録された画像のうち、所定の画像の一覧を提示する構成としてもよい。この場合を、編集者が「山田太郎」の例で説明する。担当者ＤＢにより「山田太郎」の所属が「Ａ建設会社」であることを特定する。そして、図２６に示す機体ＤＢから「Ａ建設会社」で使用する携帯端末の機体ＩＤが「ＡＢＣ１２３」「ＤＥＦ４５６」であることを特定する。そして、図２７の画像ＤＢから機体ＩＤが「ＡＢＣ１２３」もしくは「ＤＥＦ４５６」の画像データを検索し、これを編集者ＰＣに提示する。また、担当者「山田太郎」の所属から検索したが、「山田太郎」の機体ＩＤを図２５の担当者ＤＢから「ＡＢＣ１２３」と特定して、この機体ＩＤ「ＡＢＣ１２３」に対応する画像データを画像ＤＢから検索してもよい。さらに、検索として、画像ＤＢに編集可能者を各画像データに対応付けて記憶しておき、これを用いて、検索するようにしてもよい。
【００６１】
次に、ステップ１１０４において、編集者ＰＣは、編集者の入力に従って提示された登録画像一覧から編集対象の画像を選択する。そして、選択された画像を特定する情報を管理サーバ１２に送信する。
【００６２】
次に、ステップ１１０５において、管理サーバ１２は、選択された画像の画像データを編集者ＰＣに送信する。ここで、送信する際、画像データのコピーを作成し、このコピーを送付する構成としてもよい。
【００６３】
次に、編集者ＰＣは、編集者の編集要求に従って画像データに対して編集を施す。そして、編集された画像データに対する登録要求を、ステップ１１０６において、受け付け、管理サーバ１２に送信する。登録要求には、編集された画像データ、ユーザＩＤとパスワードが含まれる。
【００６４】
そして、管理サーバ１２は、ステップ１１０７において、認証処理を実行する。ここで、ステップ１１０７の認証は担当者ＤＢに格納された編集された画像データの登録の可否を示す情報（図示せず）に基づいて、認証してもよい。
【００６５】
次に、ステップ１１０８において、管理サーバ１２は、編集に関する情報である編集履歴を電子透かしにより挿入する。この編集履歴には、編集者、登録時刻が含まれる。編集者は、編集者ＰＣから送信されるユーザＩＤに対応する担当者情報を担当者ＤＢから登録することにより実現可能である。また、ステップ９０２のような電子透かし以外の処理を実行してもよい。そして、ステップ１１０９において、この画像データを検証センタ１６に送信する。
【００６６】
最後に検証センタ１６は、ステップ１１１０において、送信された画像データに対してステップ１１０３と同様の登録処理を実行する。これにより、図２９に示す文書管理ＤＢに示す情報が登録される。
【００６７】
次に、図１７を用いて、検証センタ１６に登録された画像データに対する正当性の検証を行う正当性検証処理について説明する。例えば、報告書を受信した場合に、報告書に用いている画像データが正当なものか確認する場合に、この処理を実行する。このため、本実施例では、利用者が利用する利用者ＰＣに検証対象の画像データが保存もしくはスキャナ等で入力されているとの前提で説明を進める。
【００６８】
まず、正当性の検証を希望する利用者が利用し、検証センタ１６や管理サーバ１２とネットワークを介して接続された利用者ＰＣが、利用者からの入力に従って、ユーザＩＤおよびパスワードを含む正当性検証要求を検証センタ１６に送信する。検証センタ１６では、ステップ１２０２において、ステップ１１０２と同様に認証処理を実行する。そして、認証された場合、ステップ１２０３において、検証対象の画像データを送信するよう利用者ＰＣに要求する。
【００６９】
次に、利用者ＰＣは、ステップ１２０４において、検証対象となる画像データ、例えば作成中の報告書中の画像データを検証センタ１６に送信する。
【００７０】
これを受けて、検証センタ１６は、ステップ１２０５において、送信された画像データの撮影情報を抽出する。そして、ステップ１２０６において、抽出された撮影情報を、利用者ＰＣに送信する。
【００７１】
そして、利用者ＰＣは、送信された撮影情報を出力する。ここで、利用者自身が出力された撮影情報と報告書の記述内容を比較して、正当性を確認してもよいし、ステップ１２０７において、利用者ＰＣが比較を実行してもよい。
【００７２】
次に、図１８を用いて改ざん有無を確認する改ざん有無検証処理について説明する。ここでは、図１７の正当性検証処理と同様に利用者ＰＣに検証対象の画像データが保存もしくはスキャナ等で入力されているとの前提で説明を進める。
【００７３】
まず、利用者ＰＣがステップ１３０１において、ステップ１２０１と同様に改ざん有無の検証要求を送信する。そして、検証センタ１６が、ステップ１３０２においてステップ１２０２と同様の認証を行い、ステップ１３０３において検証対象の画像データの送信を要求する。ここで、利用者ＰＣは、ステップ１３０４においてステップ１２０４と同様に検証対象となる画像データを、検証センタ１６に送信する。
【００７４】
次に、検証センタ１６は、ステップ１３０５において、ハッシュ化などステップ１１１０と同様の予め定められた処理を送信された画像データに施す。そして、この結果とステップ１１１０で登録された値を比較する。ステップ１１１０で登録された値は、送信された画像データを識別する情報を用いて特定する。そして、ステップ１３０７において、この比較結果を送信し、利用者ＰＣがステップ１３０８で受信する。ここで、比較結果としては、「一致せず」など比較の結果そのもの他、一致しない項目を合わせて送信してもよい。
【産業上の利用可能性】
【００７５】
本発明は、ネットワークを介して接続された情報処理装置による画像データの管理を実現することが可能になる。
【図面の簡単な説明】
【００７６】
【図１】実施例の適用サービスの一例を示すサービス概要図
【図２】実施例のシステム構成図
【図３】携帯端末１０の表示画面図
【図４】実施例のデータの対応関係の模式図
【図５】実施例の物件情報登録処理のフローチャート
【図６】実施例の担当者情報登録処理のフローチャート
【図７】実施例の機体情報登録処理のフローチャート
【図８】実施例の機体情報登録処理のフローチャート
【図９】実施例の物件情報取得処理（その１）のフローチャート
【図１０】実施例の物件情報取得処理（その２）のフローチャート
【図１１】実施例のガイダンス機能のフローチャート
【図１２】実施例の管理サーバ画像登録処理（その１）のフローチャート
【図１３】実施例の管理サーバ画像登録処理（その２）のフローチャート
【図１４】実施例の管理サーバ画像登録処理（その３）のフローチャート
【図１５】実施例の検証センタ画像登録処理のフローチャート
【図１６】実施例の画像編集処理のフローチャート
【図１７】実施例の正当性検証処理のフローチャート
【図１８】実施例の改ざん有無検証処理のフローチャート
【図１９】携帯端末１０の画像登録画面例
【図２０】携帯端末１０の画像検索画面例（その１）
【図２１】携帯端末１０の画像検索画面例（その２）
【図２２】携帯端末１０の画像検索画面例（その３）
【図２３】携帯端末１０の画像検索画面例（その４）
【図２４】物件ＤＢを示す図
【図２５】担当者ＤＢを示す図
【図２６】機体ＤＢを示す図
【図２７】画像ＤＢを示す図
【図２８】ガイダンスＤＢを示す図
【図２９】文書管理ＤＢを示す図
【符号の説明】
【００７７】
１０…携帯端末、１２…管理サーバ、１４…ＰＣ、１６…検証センタ
【図１】
2005197901.tif 000003
【図２】
2005197901.tif 000004
【図３】
2005197901.tif 000005
【図４】
2005197901.tif 000006
【図５】
2005197901.tif 000007
【図６】
2005197901.tif 000008
【図７】
2005197901.tif 000009
【図８】
2005197901.tif 000010
【図９】
2005197901.tif 000011
【図１０】
2005197901.tif 000012
【図１１】
2005197901.tif 000013
【図１２】
2005197901.tif 000014
【図１３】
2005197901.tif 000015
【図１４】
2005197901.tif 000016
【図１５】
2005197901.tif 000017
【図１６】
2005197901.tif 000018
【図１７】
2005197901.tif 000019
【図１８】
2005197901.tif 000020
【図１９】
2005197901.tif 000021
【図２０】
2005197901.tif 000022
【図２１】
2005197901.tif 000023
【図２２】
2005197901.tif 000024
【図２３】
2005197901.tif 000025
【図２４】
2005197901.tif 000026
【図２５】
2005197901.tif 000027
【図２６】
2005197901.tif 000028
【図２７】
2005197901.tif 000029
【図２８】
2005197901.tif 000030
【図２９】
2005197901.tif 000031